(57)【要約】【課題】１つの植木ばちに数種類の草花や木を寄せ植えすることができると共に、各寄せ植えされた草花や木の根がそれぞれ絡むことのない植木ばちを提供する。【解決手段】植木ばち１の中央部に１個の中央区画部２と、該中央区画部２の外周に複数個の外周区画部３とをそれぞれ形成するための枠部材４が、前記植木ばち１の上方開口部に設置され、且つ植木ばち１の中間部まで投入された土１５に前記中央区画部２を介して草花や木１６を植えると共に、前記各外周区画部３に草花や木１９を植える小型植木箱１８をそれぞれ設置する。【選択図】図７
2007202498.tif 000002
【特許請求の範囲】
【請求項１】
植木ばちの中央部に１個の中央区画部と、該中央区画部の外周に複数個の外周区画部とをそれぞれ形成する枠部材が、前記植木ばちの上方開口部に設置され、
前記枠部材は、植木ばちの上方開口部の内周壁面に沿うような大きさに形成された外枠と、該外枠より小径で、且つ前記外枠と間隔を有して複数本の連結杆によって連結された内枠とによって形成され、
前記枠部材は、線条体によって形成され、外枠と内枠はそれぞれ一個所が切断されていて、該切断部の一方の切断端縁に掛止受部を、且つ他方の切断端縁に掛止具をそれぞれ備えて形成され、
前記内枠には、所定間隔を有して複数本の支柱が垂設され、前記各支柱を植木ばち内に投入された土内に差し込むことにより、枠部材を前記植木ばち内に立設固定して、中央部に内枠で囲繞された中央区画部が、また、該中央区画部の外周に前記内枠、外枠および各連結杆とで囲繞された複数個の外周区画部が形成され、
更に、前記各外周区画部には、前記中央区画部とは独立した小型植木箱をそれぞれ設置するよう形成され、
前記小型植木箱は、前記各外周区画部の形状に合わせて構成されると共に、全高を調整するため、上方を開口した有底の箱体に上下に移動自在なるように、上下を開口した筒体を嵌挿して形成され、
前記箱体は、底板を透明として下面を透視できるようにし、更に、該箱体の垂直な両側壁面に高さ調整用孔を複数個穿設すると共に、前記両側壁面および植木ばちの内周壁面側の外側壁面に間隔保持用突起を複数個突設して形成され、
また、前記筒体は、前記箱体の内周側壁面に摺接して上下に移動することができる大きさの筒状体により形成されると共に、垂直な両側壁面および外側壁面の各中央部上端縁に掛止フックが取付けてあり、
更に、前記筒体の垂直な両側壁面に高さ調整用孔を複数個穿設して、前記箱体の高さ調整用孔と一致重合させて、貫通材を貫通して固定具により固定して小型植木箱とすると共に、前記両側壁面および外側壁面に間隔保持用突起を設けて形成され、
前記箱体および筒体に突設された間隔保持用突起は、中空部を備えて形成され、該中空部に肥料を収納し、天板と底板とに、水の流入小孔と排出小孔とをそれぞれ穿設する一方、前記天板を開閉自在としたことを特徴とする植木ばち。
【発明の詳細な説明】
【技術分野】
【０００１】
本発明は、１つの植木ばちに数種類の草花や木を寄せ植えすることができると共に、各寄せ植えされた草花や木の根がそれぞれ絡むことのない植木ばちに関するものである。
【背景技術】
【０００２】
従来、１つの植木ばちに数種類の草花や木を寄せ植えする場合が多く見受けられるが、それぞれの根が絡まないような配慮はなされていない。
【０００３】
また、１つの植木ばちに数種類の草花や木を寄せ植えすることができる植木ばちにつき、過去の特許文献を遡及検索したところ、下記の特許文献１に開示されたものが公知である。すなわち、特許文献１に開示されたものは、植木ばちの内部を隔壁で仕切り、該隔壁内に他の植木ばちを挿入可能とし、前記隔壁外に他の植物を植えることを可能とする空間を設け、前記植木ばちの隔壁内底面と隔壁外周底面とに、一または複数の排水口を設けた寄植え用植木ばちである。
【０００４】
【特許文献１】特開平１１−１７８４４９号公報
【発明の開示】
【発明が解決しようとする課題】
【０００５】
前記従来のように、１つの植木ばちに数種類の草花や木を寄せ植えする場合、それぞれの根が絡まないような配慮はなされていないので、それぞれの根が絡まって、弱い根が負けてしまい、その草花や木が枯れてしまうという課題があった。
【０００６】
また、特許文献１に開示されたものは、数種類の草花や木を寄せ植えすることができるが、その草花や木を植える内室、外周室等の大きさ、深さが予め固定されているため、寄せ植えする草花や木の種類が限定され、また草花や木を植える小鉢の大きさも限定されてしまうという課題があった。
【０００７】
本発明は、前記課題を解決すべくなされたもので、数種類の草花や木を植える小型植木箱の大きさや深さを任意に設定することにより、寄せ植えする草花や木の種類が限定されることなく、また数種類の草花や木を寄せ植えしても、それぞれの根が絡まることもなく、更に寄せ植えされた草花や木の位置を簡単に変えたり、または他の植木ばちの草花や木を簡単に持ってきて取換えることもでき、寄せ植えの変化を楽しむことができる植木ばちを提供しようとするものである。
【課題を解決するための手段】
【０００８】
本発明は、植木ばちの中央部に１個の中央区画部と、該中央区画部の外周に複数個の外周区画部とをそれぞれ形成する枠部材が、前記植木ばちの上方開口部に設置され、
前記枠部材は、植木ばちの上方開口部の内周壁面に沿うような大きさに形成された外枠と、該外枠より小径で、且つ前記外枠と間隔を有して複数本の連結杆によって連結された内枠とによって形成され、
前記枠部材は、線条体によって形成され、外枠と内枠はそれぞれ一個所が切断されていて、該切断部の一方の切断端縁に掛止受部を、且つ他方の切断端縁に掛止具をそれぞれ備えて形成され、
前記内枠には、所定間隔を有して複数本の支柱が垂設され、前記各支柱を植木ばち内に投入された土内に差し込むことにより、枠部材を前記植木ばち内に立設固定して、中央部に内枠で囲繞された中央区画部が、また、該中央区画部の外周に前記内枠、外枠および各連結杆とで囲繞された複数個の外周区画部が形成され、
更に、前記各外周区画部には、前記中央区画部とは独立した小型植木箱をそれぞれ設置するよう形成され、
前記小型植木箱は、前記各外周区画部の形状に合わせて構成されると共に、全高を調整するため、上方を開口した有底の箱体に上下に移動自在なるように、上下を開口した筒体を嵌挿して形成され、
前記箱体は、底板を透明として下面を透視できるようにし、更に、該箱体の垂直な両側壁面に高さ調整用孔を複数個穿設すると共に、前記両側壁面および植木ばちの内周壁面側の外側壁面に間隔保持用突起を複数個突設して形成され、
また、前記筒体は、前記箱体の内周側壁面に摺接して上下に移動することができる大きさの筒状体により形成されると共に、垂直な両側壁面および外側壁面の各中央部上端縁に掛止フックが取付けてあり、
更に、前記筒体の垂直な両側壁面に高さ調整用孔を複数個穿設して、前記箱体の高さ調整用孔と一致重合させて、貫通材を貫通して固定具により固定して小型植木箱とすると共に、前記両側壁面および外側壁面に間隔保持用突起を設けて形成され、
前記箱体および筒体に突設された間隔保持用突起は、中空部を備えて形成され、該中空部に肥料を収納し、天板と底板とに、水の流入小孔と排出小孔とをそれぞれ穿設する一方、前記天板を開閉自在とするという手段を採用することにより、上記課題を解決した。
【発明の効果】
【０００９】
中央区画部に植えられた草花や木と、各外周区画部に設置された各小型植木箱に植えられた草花や木とはそれぞれ全く独立しているので、それぞれの根が絡まることも全くなく、根が絡まることによる枯死が防止され、好みに応じて各外周区画部の小型植木箱の位置を簡単に変更することも可能であると共に、他の植木ばちから小型植木箱を持ってきて取替えることができるので、草花や木の組合せの変化を楽しむことができる。また、中央区画部および外周区画部の大きさを種々変えた枠部材を多数用意することにより、植える草花や木の種類に応じて対応することができると共に、小型植木箱は大小に取り替えることもでき、然も該小型植木箱の全高を調整してその深さも任意に設定できるので、一つの植木ばちに様々な草花や木を植えることが可能である。更に、間隔保持用突起内の肥料が散水と共に溶出するので、中央区画部に植えられた草花や木への肥料の供給が容易であり、また該中央区画部に植えられた草花や木への肥料の供給が不要な場合、中央区画部の上方から土に散水することもできる。
【実施例】
【００１０】
本発明の実施例を図面に基づいて詳細に説明する。本発明は、植木ばち１の中央部に１個の中央区画部２と、該中央区画部２の外周に複数個の外周区画部３とをそれぞれ形成するための枠部材４が、前記植木ばち１の上方開口部に設置される。
【００１１】
前記枠部材４は、植木ばち１の上方開口部の内周壁面に沿うような大きさに形成された外枠５と、該外枠５より小径で、且つ前記外枠５と間隔を有して複数本の連結杆６によって連結された内枠７とによって形成されている。
【００１２】
前記枠部材４は、プラスチックや金属製の線条体によって形成され、外枠５と内枠７はそれぞれ一個所が切断されていて、該切断部の一方の切断端縁に、例えば円孔８を設けた掛止受部９を、且つ他方の切断端縁に、例えば前記掛止受部９に掛止する突起１０を設けた掛止具１１をそれぞれ備えて形成されている。
【００１３】
前記外枠５と内枠７とは、複数本の連結杆６とによって連結されているが、前記内枠７と連結杆６の内側端部とは一体に固定されていると共に、前記外枠５と各連結杆６の外側端部とは、該外枠５に沿って移動自在なるよう連結されている。前記外枠５と各連結杆６の外側端部との連結方法は、好ましくは、各連結杆６の外側端部にリング部１２を設けて、該リング部１２を外枠５に遊挿して、該連結杆６が前記リング部１２を介して外枠５に沿って移動自在とすることが推奨され、また前記内枠７にはリング部１２の停止位置を示す目印１３を設けることが推奨される。
【００１４】
そして、前記内枠７には、所定間隔を有して複数本の支柱１４が垂設されており、前記内枠７および外枠５の各掛止受部９に掛止具１１を掛止した後、前記各支柱１４を植木ばち１内に投入された土１５内に差し込むことにより、枠部材４を前記植木ばち１内に立設固定すると、中央部に内枠７で囲繞された中央区画部２が、また、該中央区画部２の外周に前記内枠７、外枠５および各連結杆６とで囲繞された複数個の外周区画部３が形成される。
【００１５】
本発明においては、特に限定する必要はないが、好ましくは、中央区画部２には、背の高い草花や木１６を植えることが推奨され、該背の高い草花や木１６の根１７を、植木ばち１に投入された土１５中に植えるか、あるいは背の高い草花や木１６の種子を土１５中に蒔くようにする。
【００１６】
一方、前記各外周区画部３には、前記中央区画部２とは独立した小型植木箱１８をそれぞれ設置するよう形成されており、特に限定する必要はないが、好ましくは、該小型植木箱１８には、背の低い草花や木１９を植えることが推奨される。
【００１７】
前記のように、中央区画部２には、背の高い草花や木１６を植えると共に、各外周区画部３の小型植木箱１８に背の低い草花や木１９を植えると、植木ばち１のバランス上見栄えがよい。
【００１８】
前記小型植木箱１８は、前記各外周区画部３の形状に合わせて構成されると共に、全高を調整するため、上方を開口した有底の箱体２０に上下に移動自在なるように、上下を開口した筒体２１を嵌挿して形成されている。
【００１９】
前記箱体２０は、底板２２を透明として下面を透視できるようにし、更に、該箱体２０の垂直な両側壁面２３に前記筒体２１を上下に移動させて、全高を調整した後、前記箱体２０と筒体２１とを固定するための高さ調整用孔２４を複数個穿設すると共に、前記両側壁面２３および植木ばち１の内周壁面側の外側壁面２５に、他の小型植木箱１８の両側壁面２３、および植木ばち１の内周壁面に密着しないような空隙部２６を形成するための間隔保持用突起２７を複数個突設して形成されている。
【００２０】
また、前記筒体２１は、前記箱体２０の内周側壁面に摺接して上下に移動することができる大きさの筒状体により形成されると共に、垂直な両側壁面２８および外側壁面２９の各中央部上端縁に、該筒体２１を両側に位置する前記連結杆６および前記外枠５に掛止する掛止フック３０が取付けてある。
【００２１】
更に、前記筒体２１の垂直な両側壁面２８には、前記箱体２０に穿設された高さ調整用孔２４と一致して貫通するよう高さ調整用孔３１を複数個穿設すると共に、前記両側壁面２８および外側壁面２９に、他の小型植木箱１８の両側壁面２８、および植木ばち１の内周壁面に密着しないような空隙部２６を形成するための間隔保持用突起２７を設けて形成されている。
【００２２】
前記箱体２０および筒体２１に突設された間隔保持用突起２７は、すべて同一形状をしており、好ましくは、図４に示すように、中空部３２を備えて形成され、該中空部３２に肥料３３を収納し、天板３４と底板３５とに、水を流入すると共に、水により溶出した肥料成分を排出する流入小孔３６と排出小孔３７とをそれぞれ穿設する一方、前記天板３４を開閉自在として蓋の役目を果たして肥料３３を中空部３２内に補充することができるようにして形成されている。なお、図中、３８は小型植木箱１８を構成する箱体２０の下方部に穿設された排水用の水抜き孔である。
【００２３】
前記構成より成る本発明の作用について説明する。先ず、植木ばち１内の中間部近くまで土１５を投入して、草花や木１６を植えるか、あるいは種子を蒔く。そして、前記土１５に草花や木１６を植えた場合、枠部材４の内枠７および外枠５の各掛止受部９に掛止具１１を掛止することなく、前記草花や木１６の外側から該草花や木１６を囲い込んで、該各掛止受部９に掛止具１１を掛止して、各切断端縁を連結した後、各支柱１４を前記土１５内に差込んで枠部材４を植木ばち１に設置する。なお、土１５に草花や木１６を植えることなく、種子を蒔いた場合は、前記各掛止受部９に掛止具１１を予め掛止しておいてもよい。
【００２４】
次に、前記植木ばち１に設置された枠部材４の各外周区画部３に小型植木箱１８を配置する。前記小型植木箱１８の各外周区画部３への配置に当たっては、先ず、筒体２１を箱体２０内に挿入して、大体の小型植木箱１８の高さを決めて、該小型植木箱１８の全高を調整する最適の位置を確認して、該位置において、箱体２０と筒体２１の各高さ調整用孔２４・３１をそれぞれ一致重合させて、該重合した各高さ調整用孔２４・３１にボルト等より成る貫通材３９を貫通させると共に、該貫通材３９にナット等より固定具４０を固定し、筒体２１の高さ位置を調整して、小型植木箱１８を形成する。
【００２５】
前記全高を調整して形成された小型植木箱１８の箱体２０の透明な底板２２を目視しながら、前記土１５に該底板２２が接するまで、前記小型植木箱１８を該植木ばち１内に降下させると共に、各掛止フック３０が連結杆６および外枠５に掛止される位置まで降下させて、前記底板２２が土１５に接地させて、前記小型植木箱１８を各外周区画部３に配置するようにする。なお、前記小型植木箱１８を降下させたとき、前記箱体２０の底板２２と土１５間に隙間があれば、更に土を補充し、また前記土１５の高さが高い場合はその分取出す等、土１５の高さを調整する。
【００２６】
前記筒体２１の高さ位置を調整した後、各間隔保持用突起２７の中空部３２内に肥料３３を収納すると共に、小型植木箱１８を構成する箱体２０内に土４１を投入して、草花や木４２を植えるか、または種子を蒔き、前記各小型植木箱１８を前記枠部材４の各外周区画部３内に挿入して、前記各掛止フック３０を各連結杆６および外枠５に掛止することにより、前記各小型植木箱１８は前記外周区画部３に設置される。そして、その後、見栄えをよくするため、好ましくは、枠部材４が隠れて上方から見えないよう、更に土を植木ばち１に投入することが推奨される。
【００２７】
前記各小型植木箱１８が前記各外周区画部３に設置されると、該各小型植木箱１８はそれぞれ間隔保持用突起２７により各空隙部２６が形成されるので、植木ばち１上から散水すると、該植木ばち１全体に水が行き渡ると共に、前記散水によって前記間隔保持用突起２７の中空部３２内の肥料３３が溶出して、水と共に下方の土１５内に供給される。
【００２８】
更に、図８は本発明植木ばちの他の実施例を一部を切欠いて示す斜視図である。前記した図７に示すものが、小型植木箱１８を植木ばち１の中間部近くまで投入された土１５上に載置するようにしてあるが、図８に示すように、小型植木箱１８を植木ばち１の底壁４３上に載置してもよい。この場合、中央区画部２の草花や木１６用の土１５は、各小型植木箱１８によって囲繞された空間部に投入されることになる。
【００２９】
前記構成より成る本発明によれば、中央区画部２に植えられた草花や木１６と、各外周区画部３に設置された各小型植木箱１８に植えられた草花や木４２とは、それぞれ全く独立しているので、それぞれの根が絡まることも全くなく、根が絡まることによる枯死が防止され、好みに応じて各外周区画部３の小型植木箱１８の位置を簡単に変更することも可能であると共に、他の植木ばち１から小型植木箱１８を持ってきて取替えることができるので、草花や木の組合せの変化を楽しむことができる。更に、間隔保持用突起２７内の肥料が散水と共に溶出するので、中央区画部２に植えられた草花や木１６への肥料の供給が容易であり、また該中央区画部２に植えられた草花や木１６への肥料の供給が不要な場合、中央区画部２の上方から土１５に散水することもできる。
【図面の簡単な説明】
【００３０】
【図１】本発明植木ばちに草花や木を植えた状態を一部を切欠いて示す全体の斜視図である。
【図２】本発明植木ばちを構成する枠部材の斜視図である。
【図３】本発明植木ばちを構成する小型植木箱の斜視図である。
【図４】本発明植木ばちを構成する小型植木箱に設けられた間隔保持用突起の拡大断面図である。
【図５】本発明植木ばちを構成する４個の小型植木箱の設置例を枠部材および箱体部分を省略して示す平面図である。
【図６】本発明植木ばちの平面図である。
【図７】本発明植木ばちの一部を切欠いて示す全体の斜視図である。
【図８】本発明植木ばちの他の実施例を一部を切欠いて示す全体の斜視図である。
【符号の説明】
【００３１】
１  植木ばち
２  中央区画部
３  外周区画部
４  枠部材
５  外枠
６  連結杆
７  内枠
９  掛止受部
１１  掛止具
１４  支柱
１５  土
１８  小型植木箱
２０  箱体
２１  筒体
２２  底板
２３  側壁面
２４  高さ調整用孔
２５  外側壁面
２７  間隔保持用突起
２８  側壁面
２９  外側壁面
３０  掛止フック
３２  中空部
３３  肥料
３４  天板
３５  底板
３６  流入小孔
３７  排出小孔
【図１】
2007202498.tif 000003
【図２】
2007202498.tif 000004
【図３】
2007202498.tif 000005
【図４】
2007202498.tif 000006
【図５】
2007202498.tif 000007
【図６】
2007202498.tif 000008
【図７】
2007202498.tif 000009
【図８】
2007202498.tif 000010
【手続補正書】
【提出日】平成18年2月20日(2006.2.20)
【手続補正１】
【補正対象書類名】図面
【補正対象項目名】図１
【補正方法】変更
【補正の内容】
【図１】
2007202498.tif 000011
【手続補正２】
【補正対象書類名】図面
【補正対象項目名】図３
【補正方法】変更
【補正の内容】
【図３】
2007202498.tif 000012
【手続補正３】
【補正対象書類名】図面
【補正対象項目名】図６
【補正方法】変更
【補正の内容】
【図６】
2007202498.tif 000013
【手続補正４】
【補正対象書類名】図面
【補正対象項目名】図７
【補正方法】変更
【補正の内容】
【図７】
2007202498.tif 000014
【手続補正５】
【補正対象書類名】図面
【補正対象項目名】図８
【補正方法】変更
【補正の内容】
【図８】
2007202498.tif 000015